(57)【特許請求の範囲】
【請求項１】
ボウルと、ボウルの外側を覆うスカートと、ボウル及びスカート上に位置するリムの三者を合成樹脂により形成し、これらボウル、スカート、リムを溶着により一体化した便器において、リムの内縁部にボウルの内側に配置される覆い部を垂設し、該覆い部とボウルの内面との間に覆い部の下端部とボウルの内面との間隙を介してボウルの内側に開口する凹所を形成し、リムの外縁部をスカートの上縁部上に当接して溶着し、ボウルの上縁部を覆い部よりも外側に位置するリムの下面に溶着し、当該ボウルの上縁部とリムの下面との溶着部分を覆い部で覆うものであり、リムの覆い部よりも外側に位置する下面にボウル側溶着部を形成し、ボウル側溶着部の外縁部に下方に向けて突出して下端部が溶着代となったリム側長突起を形成すると共に内縁部に下方に向けて突出してリム側長突起よりも突出長の短いリム側短突起を形成し、リム側長突起とリム側短突起の間に下方に開口するリム側凹溝を形成し、リム側長突起の下端部とボウルの上縁部の外縁部を溶着すると共にリム側短突起の下端面をボウルの上縁部の内縁部に当接することを特徴とする便器。
【請求項２】
ボウルの上縁部の外縁部に上方に向けて突出して上端部が溶着代となったボウル側長突起を形成すると共に内縁部に上方に向けて突出してボウル側長突起よりも突出長の短いボウル側短突起を形成し、ボウル側長突起とボウル側短突起の間に上方に開口するボウル側凹溝を形成し、リム側長突起の下端部とボウル側長突起の上端部を溶着し、リム側短突起の下端面をボウル側短突起の上端面に当接することを特徴とする請求項１に記載の便器。
【請求項３】
スカートの内面からスカートの内方に向けてボウルを支持するための板状のボウル支持部を突設して成ることを特徴とする請求項１又は請求項２に記載の便器。
【発明の詳細な説明】
【技術分野】
【０００１】
本発明は合成樹脂製のボウルとスカートとリムの三者を固着一体化した便器に関する。
【背景技術】
【０００２】
近年、例えば特許文献１に示すように、ボウルと、ボウルの外側を覆うスカートと、ボウル及びスカート上に位置するリムの三者を合成樹脂により形成し、これらボウル、スカート、リムを接合一体化した便器が利用されている。
【０００３】
この種の便器としては例えば図６に示すものがある。この便器は、リム３の外縁部をスカート２の上縁部上に溶着する（図６中ａ１に示す箇所）と共に、リム３の下面をボウル１の上縁部上に溶着し（図６中ａ２に示す箇所）、これによりボウル１、スカート２、リム３を一体化している。
【０００４】
ところで、上記便器は溶着部分ａ１、ａ２においてバリが発生し、このバリが溶着部分ａ１、ａ２の製品表面側に現れて便器の外観を阻害する恐れがある。このため、従来では、上記溶着後において溶着部分ａ１、ａ２の夫々にバリが発生した場合にはこれらバリをその都度除去していた。しかし、この場合、２箇所の溶着部分ａ１、ａ２において製品表面側にバリが発生する可能性があるため、これら２箇所のバリの発生を検査すると共にバリが発生している場合にはこれを除去する必要があり、このため製造工程が増して製造コストが増すという問題があった。
【特許文献１】特開２００７−２２４５９３号公報
【発明の開示】
【発明が解決しようとする課題】
【０００５】
本発明は上記従来の問題点に鑑みてなされたものであって、製品表面側にバリが発生して製品の外観が阻害されることを防止し、製造工数を少なくし、且つ、製造コストを削減できる便器を提供することを課題とする。
【課題を解決するための手段】
【０００６】
上記課題を解決するために本発明の請求項１に係る便器は、ボウル１と、ボウル１の外側を覆うスカート２と、ボウル１及びスカート２上に位置するリム３の三者を合成樹脂により形成し、これらボウル１、スカート２、リム３を溶着により一体化した便器において、リム３の内縁部にボウル１の内側に配置される覆い部２０を垂設し、該覆い部２０とボウル１の内面との間に覆い部２０の下端部とボウル１の内面との間隙２３を介してボウル１の内側に開口する凹所２４を形成し、リム３の外縁部３ａをスカート２の上縁部２ａ上に当接して溶着し、ボウル１の上縁部１ａを覆い部２０よりも外側に位置するリム３の下面に溶着し、当該ボウル１の上縁部１ａとリム３の下面との溶着部分を覆い部２０で覆うものであり、リム３の覆い部２０よりも外側に位置する下面にボウル側溶着部２２を形成し、ボウル側溶着部２２の外縁部に下方に向けて突出して下端部が溶着代となったリム側長突起２７を形成すると共に内縁部に下方に向けて突出してリム側長突起２７よりも突出長の短いリム側短突起２８を形成し、リム側長突起２７とリム側短突起２８の間に下方に開口するリム側凹溝２９を形成し、リム側長突起２７の下端部とボウル１の上縁部１ａの外縁部を溶着すると共にリム側短突起２８の下端面をボウル１の上縁部の内縁部に当接することを特徴とする。
また、請求項２に係る便器は、請求項１において、ボウル１の上縁部１ａの外縁部に上方に向けて突出して上端部が溶着代となったボウル側長突起３０を形成すると共に内縁部に上方に向けて突出してボウル側長突起３０よりも突出長の短いボウル側短突起３１を形成し、ボウル側長突起３０とボウル側短突起３１の間に上方に開口するボウル側凹溝３２を形成し、リム側長突起２７の下端部とボウル側長突起３０の上端部を溶着し、リム側短突起２７の下端面をボウル側短突起３１の上端面に当接することを特徴とする。
【０００７】
また、請求項３に係る便器は、請求項１又は請求項２において、スカート２の内面からスカート２の内方に向けてボウル１を支持するための板状のボウル支持部１７を突設して成ることを特徴とする。
【発明の効果】
【０００８】
請求項１乃至３に係る発明では、ボウルの上縁部とリムの下面との溶着部分にバリが発生したとしても、このバリを覆い部で覆って製品表面側に露出しないようにできる。このためボウルとスカートとリムとを一体化して便器を製造する際には、リムとスカートとの溶着部分のみバリが発生したかどうかを検査し、これにバリが発生している場合にのみバリを除去すれば良い。従って、ボウルとリムの溶着部分におけるバリの発生の検査やこのバリを除去する工程を省略でき、製造工数を少なくし、且つ、製造コストを削減できる。
【０００９】
加えて、請求項３に係る発明では、スカートの内面からスカートの内方に向けて板状のボウル支持部を突設することで、スカートを補強できる。また、このように強度を高めたスカートのボウル支持部によってボウルを強固に支持でき、使用者の着座時等において便器が大きく変形したり、破損したりすることを防止できる。
【発明を実施するための最良の形態】
【００１０】
本発明は例えば図２に示す便器に適用されるものであって、以下、図１乃至図５に基づいて本実施形態の便器について説明する。
【００１１】
図２に示すように、便器は、便器形状を有する合成樹脂よりなる便器形状体４と、便器形状体４に回動自在に取付けられる便座６及び便蓋７とを備えている。便器本体となる便器形状体４の内部には、内装品として、便器形状体４を支持する金属製のフレーム５と、便座６に着座した使用者の局部を洗浄するための局部洗浄装置と、略椀状のボウル１内に洗浄水を供給してボウル１の内面を洗浄する洗浄装置と、ボウル１内の溜め水を排水するための排水路と、該排水路の途中に設けたトラップ等が配置され、これら内装品と、前述の便器形状体４、便座６、便蓋７により便器を構成している。
【００１２】
便器形状体４はフレーム５を介して又は直接床上に設置されるものであり、前パーツＦとこの後方に位置する後パーツＲとで構成され、前パーツＦ内の後方に開口する空間と後パーツＲ内の前方に開口する空間とで上記内装品の収納スペースが構成される。
【００１３】
前パーツＦは、ボウル１と、ボウル１の外側を覆うスカート２と、ボウル１及びスカート２上に位置するリム３の独立した三者を合成樹脂により成形し、これらボウル１、スカート２、リム３を溶着により一体化して成る。
【００１４】
前パーツＦを構成するボウル１、スカート２、リム３の夫々は肉厚が２〜３０ｍｍであり、射出成形（サンドイッチ成形も含む）により成形される。これらの成形材料としては熱可塑性樹脂が用いられる。より具体的には、耐薬品性のあるＰＰや比較的強度があるアクリル系樹脂や、補強材入りＡＢＳ、ＰＢＴ、又はこれら成形品部材の再生材などが成形材料として用いられる。また、サンドイッチ成形を行う場合にはコア材に発泡剤を入れることが好ましく、この場合は軽量化やコストを削減できる。また、成形品は比較的大型であり、溶着時の残量応力が残存するため、アニール処理を施すことが好ましい。
【００１５】
後パーツＲは、上カバー８及び両側の側カバー９及び背面カバー１０で構成される。上カバー８、両側の側カバー９、背面カバー１０により、便器形状体４の後部の上方、両側方、背方の夫々が覆われる。上カバー８、両側の側カバー９、背面カバー１０の夫々は内装品に着脱自在に取り付けてあり、これらカバー８、９、１０を取り外すことにより内装品のメンテナンスを行えるようになっている。また、前述の便座６及び便蓋７はリム３の後方に位置する上カバー８に回動自在に取り付けられる。
【００１６】
図１は前パーツＦの正断面を模式的に示した説明図である。図に示すように上方に開口するボウル１の上部には外方に向けて突出する外フランジ部１２が一体に形成されている。外フランジ部１２はボウル１の上端よりも下方に位置し、ボウル１の上縁部１ａは外フランジ部１２よりも上方に突出している。
【００１７】
スカート２は平面視略Ｕ字状に形成されてボウル１の前側及び両側を覆うものであり、上下及び後方に開口している。
【００１８】
スカート２の上部には上側のボウル支持部１７として内方に向けて突出する内フランジ部１７ｂが一体に形成されている。内フランジ部１７ｂはスカート２の上縁よりも下方に位置し、スカート２の上縁部は内フランジ部１７ｂよりも上方に突出している。
【００１９】
内フランジ部１７ｂ上にはボウル１の外フランジ部１２が載置され、且つこの外フランジ部１２の下面は内フランジ部１７ｂの上面に溶着により接合される。
【００２０】
また、スカート２の下部には下側のボウル支持部１７として内方に向けて突出する支持板部１７ａが一体に形成されている。支持板部１７ａはその後縁を除く外縁又は両側縁がスカート２の主体を構成する周壁部１５の内面に一体に接続されており、左右両側の壁部１５ａ間に架設されている。
【００２１】
支持板部１７ａの中央部上にはボウル１の下端部に位置する底部が載置され、且つ、このボウル１の底部の下面は支持板部１７ａの上面に溶着により接合してある。
【００２２】
上記板状の内フランジ部１７ｂ及び支持板部１７ａの夫々の外縁はスカート２に一体に接続してあり、これによりリブ効果を得てボウル１の外周に沿った略薄板状のスカート２を補強している。このため例えばスカート２に横からの大きな荷重が加わる等した場合にスカート２が変形することを防止できる。また、このように強度を高めたスカート２の内フランジ部１７ｂや支持板部１７ａによってボウル１を強固に支持できて、使用者の着座時等において便器が変形することを防止できる。
【００２３】
前パーツＦの上面を構成するリム３は平面形状が便座６と略一致する板状の便座載置部１８を有しており、該便座載置部１８には用を足す際に前方に倒した便座６を載置する。また、この便座載置部１８によってボウル１の外面とスカート２の内面との間に形成された空間の上方が覆われる。なお、便座載置部１８の外端面はスカート２の外面と面一となっている。
【００２４】
リム３の便座載置部１８の中央にはボウル１の上方に位置するリム開口１９が形成されている。このリム開口１９の周縁部により構成されるリム３の内縁部はボウル１の上縁部１ａよりも内側に位置している。
【００２５】
上記リム３の内縁部には覆い部２０を一体に垂設してある。覆い部２０はリム３の内縁部から斜め内側下方に向けて突出し、また、リム３の内縁部に亘って形成されている。つまり、覆い部２０は全体として下側程徐々に径が小さくなるテーパー筒状に形成されるものであり、型抜き方向を上下方向としたリム３を支障なく金型から抜き出せるよう抜き勾配をつけている。
【００２６】
上記覆い部２０はボウル１の上開口からボウル１内に挿入されてボウル１の内側に配置される。覆い部２０の先端である下縁部とボウル１の内面との間には間隙２３が形成されている。
【００２７】
覆い部２０の外側、つまり覆い部２０の外面とボウル１の内面との間には、上記間隙２３を介して下方に開口する凹所２４が形成されている。凹所２４はボウル１の周方向の全長に亘って形成され、前記間隙２３を介してボウル１内の下部に連通している。これにより上記洗浄装置から洗浄水を凹所２４に供給して、該凹所２４をボウル１の内周面に沿って流すための流路として利用することができる。また、ボウル１の下部の溜め水が水はねした時にはこの水を凹所２４の上底面を構成する便座載置部１８や覆い部２０により受けることができ、リム３の上面側に水が飛散することを防止できる。
【００２８】
リム３のスカート２に溶着される箇所は便座載置部１８の外周縁部である。具体的には、便座載置部１８の外周縁部には下方に突出するスカート側溶着部２１を一体に形成してあり、該スカート側溶着部２１がスカート２の上縁部２ａ上に当接して溶着される。
【００２９】
リム３のボウル１に溶着される箇所は便座載置部１８の下面におけるスカート側溶着部２１よりも内側で且つ覆い部２０よりも外側の部分である。具体的には、便座載置部１８の下面には覆い部２０を囲む下方に突出するボウル側溶着部２２を一体に形成してあり、該ボウル側溶着部２２がボウル１の上縁部１ａ上に当接して溶着される。
【００３０】
上記ボウル１、スカート２、リム３を一体化して前パーツＦを製造する場合は、まず図３（ａ）及び図３（ｂ）に示すようにスカート２の上方に配置したボウル１の外フランジ部１２と下端部の夫々を内フランジ部１７ｂと支持板部１７ａに当接し、溶着する。つまり、本実施形態ではボウル１の外面をスカート２の内面に溶着してある。なお、ボウル１は支持板部１７ａに溶着せず、支持板部１７ａに載置するだけでも良いものとする。
【００３１】
次に、図３（ｂ）及び図１に示すようにボウル１及びスカート２の上方に配置したリム３のスカート側溶着部２１とボウル側溶着部２２の夫々をスカート２の上縁部２ａとボウル１の上縁部１ａに当接し、溶着する。なお、上記各溶着部分は振動溶着、超音波溶着、誘導溶着、熱板溶着等によって行われる。
【００３２】
そして、上記のようにボウル１、スカート２、リム３の三者を溶着により一体化した後に、スカート側溶着部２１とスカート２の上縁部２ａとの接合部の外側にバリが発生しているかどうかを検査して発生していればこのバリを除去し、この後に便器の表面品質を向上するために前パーツＦの外面にハードコート材をコーティングする。
【００３３】
ここで、上記リム３のボウル側溶着部２２と、これに溶着されるボウル１の上縁部１ａには、該溶着部分の製品表面側（ボウル１の内側）にバリが発生することを防止する工夫がなされており、以下に詳述する。
【００３４】
図４（ａ）は溶着前のボウル側溶着部２２と上縁部１ａを示す説明図であり、図４（ｂ）は溶着後のボウル側溶着部２２と上縁部１ａを示す説明図である。なお、図４（ａ）及び図４（ｂ）は共に紙面右側が製品表面側となるボウル１の内側である。
【００３５】
図４（ａ）に示すように、ボウル側溶着部２２の外縁部には下方に向けて突出するリム側長突起２７が形成されてあり、該リム側長突起２７の下端部が溶着代となる。ボウル側溶着部２２の内縁部からはリム側長突起２７よりも突出長の短いリム側短突起２８が下方に向けて突出しており、両突起２７、２８の間に下方に開口するリム側凹溝２９を形成している。
【００３６】
ボウル１の上縁部１ａの外縁部には上方に向けて突出するボウル側長突起３０が形成されており、該ボウル側長突起３０の上端部が溶着代となる。また、上縁部１ａの内縁部からはボウル側長突起３０よりも突出長の短いボウル側短突起３１が上方に向けて突出しており、両突起３０、３１の間に上方に開口するボウル側凹溝３２を形成している。
【００３７】
上記ボウル側溶着部２２と上縁部１ａとの溶着の際には、リム側短突起２８よりも下方に突出したリム側長突起２７の下端面とボウル側短突起３１よりも上方に突出したボウル側長突起３０の上端面同士を突き合わせ、リム側長突起２７及びボウル側長突起３０の夫々の突端部（溶着代）を、リム側短突起２８の下端面がボウル側短突起３１の上端面に当接するまで溶融し、この溶融した溶融樹脂３３によりリム側長突起２７とボウル側長突起３０を溶着する。なお、このときリム側短突起２８の下端面とボウル側短突起３１の上端面は単に当接するだけであり、溶着はされない。
【００３８】
上記ボウル側溶着部２２と上縁部１ａの接合時には、リム側長突起２７とボウル側長突起３０の溶着部分から溶融樹脂３３がボウル１の内側にはみ出してこれがバリとなったり、リム側凹溝２９やボウル側凹溝３２に流出したりする。しかし、前者の場合には、リム側長突起２７とボウル側長突起３０の溶着部分のボウル１内面側に発生したバリや、このバリがかけてボウル側凹溝３２内に溜まったバリの破片をリム側短突起２８とボウル側短突起３１で隠すことができ、ボウル１の内面側にバリが現れることを防止できる。また、後者の場合には、はみ出した溶融樹脂３３がリム側短突起２８やボウル側短突起３１によって堰き止められてリム側凹溝２９やボウル側凹溝３２内に溜められ、このためボウル側溶着部２２と上縁部１ａの溶着部分のボウル１内面側にバリが現れることを防止できる。
【００３９】
このようにボウル側溶着部２２と上縁部１ａの溶着部分のボウル１内面側にバリが発生することを防止すると、前記リム３の覆い部２０とボウル１の内面との間に形成された凹所２４の内面を雑巾等で引っ掛かりなく容易に掃除できるといった利点がある。
【００４０】
また、仮にボウル側溶着部２２と上縁部１ａの溶着部分のボウル１内面側にバリが現れたとしても、ボウル側溶着部２２と上縁部１ａの溶着部分の内方には覆い部２０が位置しているため、このバリを覆い部２０により隠してリム開口１９側から視認できないようにできる。このため既述のようにボウル１とスカート２とリム３とを一体化して前パーツＦを製造する際には、リム３のスカート側溶着部２１とスカート２の上縁部２ａとの溶着部分の外側にバリが発生したかどうかを検査し、これにバリが発生している場合にのみバリを除去すれば良く、ボウル側溶着部２２と上縁部１ａの溶着部分におけるバリの発生の検査やこのバリを除去する工程を省略でき、作業工数を少なくし、且つ、便器のコストを削減できる。
【００４１】
なお、上記リム側長突起２７とボウル側長突起３０との溶着部分の外側には内側と比較して大きなバリが生じやすい構造となっているが、このバリはリム３の便座載置部１８とスカート２によって覆われた製品裏面側に形成されるものであるため、便器の外観を阻害することはない。
【００４２】
また、上記実施形態ではスカート２の下部にボウル支持部１７として支持板部１７ａを設け、内フランジ部１７ｂと支持板部１７ａの２箇所でボウル１を支持したが、図５（ａ）に示すように支持板部１７ａを省略しても良い。また、図５（ｂ）に示すようにボウル支持部１７をわずかな隙間３４を介してボウル１の直下に配置し、便座６に着座した便器利用者の荷重によりボウル１が若干下方に移動した際にボウル支持部１７で支持されるようにしても構わない。なお、この際、支持板部１７ａは着座者の荷重により下方に撓んだ状態でボウル１の底部を支持するものとする。
【００４３】
また、本発明が適用される便器は上記に限定されるものではなく、例えばボウル、スカート、リムの三者のみで構成された便器形状体を有する便器や、ボウルの全周を囲むスカートを備えた便器などに適用しても良いものとする。
【図面の簡単な説明】
【００４４】
【図１】本発明の実施形態の便器を模式的に示した説明図である。
【図２】同上の便器の分解斜視図である。
【図３】（ａ）は同上のボウルとスカートを溶着する直前の状態を示す説明図であり、（ｂ）は同上のボウル及びスカートにリムを溶着する直前の状態を示す説明図である。
【図４】（ａ）は図１のＡ部の溶着前の状態を示す説明図であり、（ｂ）は図１のＡ部の溶着後の状態を示す説明図である。
【図５】（ａ）は他例の便器を示す説明図であり、（ｂ）はさらに他例の便器を示す説明図である。
【図６】従来の便器の説明図である。
【符号の説明】
【００４５】
１  ボウル
１ａ  上縁部
２  スカート
２ａ  上縁部
３  リム
１７  ボウル支持部
２０  覆い部
２３  間隙
２４  凹所
【図１】
0005102700.tif 000002
【図２】
0005102700.tif 000003
【図３】
0005102700.tif 000004
【図４】
0005102700.tif 000005
【図５】
0005102700.tif 000006
【図６】
0005102700.tif 000007